(57)【特許請求の範囲】
【請求項１】
衣類を研磨材や水などと共に撹拌し、衣類表面への研磨摩擦作用によって布地表面の染料を除去する漂白方法に於いて、
当該衣類の肩、肘、腰、膝などの所望の部位に、衣類の内側から当該部位に当たるよう予め当部材を挿入し、前記当部材は柔軟性を有する袋に当該袋内を移動変形自在に流動する部材を充填した構成としたことを特徴とする衣類の漂白方法。
【請求項２】
衣類を研磨材や水などと共に撹拌し、衣類表面への研磨摩擦作用によって布地表面の染料を除去する漂白方法に於いて、
当該衣類の肩、肘、腰、膝などの所望の部位に、衣類の内側から当該部位に当たるよう予め複数の柔軟性を有する当部材を挿入し、前記の各当部材は所望箇所の体の部位に相応させて位置させ、互いにその位置関係を保持するよう連帯部材で繋いだ構成としたことを特徴とする衣類の漂白方法。
【発明の詳細な説明】
【０００１】
【産業上の利用分野】
本発明は、染色された衣類の表面を漂白する方法に関する。
【０００２】
【従来の技術】
染色された衣類の表面から染料を除去する方法として、例えば、ジーパンやジージャンなどと呼ばれるデニム製品につき、人工的に使い古し感を出すため、衣類を研磨材や水と共にドラムに入れて回転させ、衣類表面への研磨摩擦作用によって布地表面の染料を除去、即ち漂白するという方法が採られていた。
【０００３】
【発明が解決しようとする課題】
しかし、この方法では、漂白の部位や漂白の程度については全くの偶然性に委ねるしかないため、漂白部位が不自然な所にできたりして、使い古し感に不自然さが残ることが少なくなく、場合に因っては、不良品として破棄せざるを得ないものも生まれていた。
本発明は、かかる問題の解決を目的とするとともに、本来の使用によって生じるであろう部位について、それなりの使い古し感が表現できる漂白方法の提供を目的とする。
【０００４】
【課題を解決するための手段】
請求項１の発明は、衣類を研磨材や水などと共に撹拌し、衣類表面への研磨摩擦作用によって布地表面の染料を除去する漂白方法に於いて、
当該衣類の肩、肘、腰、膝などの所望の部位に、衣類の内側から当該部位に当たるよう予め当部材を挿入し、前記当部材は柔軟性を有する袋に当該袋内を移動変形自在に流動する部材を充填した構成としたことを特徴とする。
【０００５】
請求項２の発明は、衣類を研磨材や水などと共に撹拌し、衣類表面への研磨摩擦作用によって布地表面の染料を除去する漂白方法に於いて、
当該衣類の肩、肘、腰、膝などの所望の部位に、衣類の内側から当該部位に当たるよう予め複数の柔軟性を有する当部材を挿入し、前記の各当部材は所望箇所の体の部位に相応させて位置させ、互いにその位置関係を保持するよう連帯部材で繋いだ構成としたことを特徴とする。
【０００６】
【発明の作用】
請求項１の発明では、研磨摩擦作用が効率よく実行され、短時間で仕上がると共に、生地を痛めずに、実際の着古しによる場合に近い状態に漂白される。
【０００７】
請求項２の発明では、連帯部材を用いることによって、複数の当部材を単体として取り扱うことができ、一々所定部位へ当部材を装着脱する作業や当部材の位置決めなどが簡単となり、作業熟練者でなくとも位置合わせが的確になされる。
【０００８】
【発明の実施の形態】
実施の形態１．
以下、本発明の実施の形態を図面に基づいて説明する。図１は漂白装置の正面図、図２はその断面図である。
この装置は、衣類１を研磨材２や水３などと共にドラム型の容器４に入れて回転させることによって、衣類１の表面への研磨摩擦作用によって布地表面の染料を除去する。
図中の符号５は、容器４の内側に突設された撹拌用の羽根であり、この羽根５によって衣類１表面への研磨摩擦作用を高めている。尚、符号６は容器４への衣類１や研磨材２などの出入口である。
【０００９】
図３及び図４は、デニムパンツ１の腰部に当部材１０を挿入してある状態を示す。当部材１０は、柔軟性を有する袋の中に移動変形自在に流動する流動充填部材を封入した構造のものであって、当部材１０は挿入される衣類１の該当部位の形態に応じた形状に整形してある。衣類１の該当部位の形態に応じた形状といっても、厳密な意味ではなく、当該部位に無理無く挿入され得る形態であればよい。
【００１０】
図示の腰部に挿入される当部材１０は、当部材としての一対の豆型袋部１１、１１を帯び板状の連帯部材１２で繋いだ形状のもので、一対の豆型袋部１１、１１即ち一対の当部材１１、１１がデニムパンツ１の左右の腰部に収められるようになっている。この豆型袋部１１、１１及び帯体１２はゴム製或いは合成樹脂製のものであるが、水に強いナイロン製の布で整形してもよい。
尚、図中の符号９は、当部材１０を当該衣類に挿入した状態にセットしておくための係留部材である。係留部材は紐状のもので足る。
【００１１】
図５、図６に於いて、この当部材１０の全体形状を示す。この当部材１０の豆型袋部１１内には移動変形自在な流動充填部材１３が充填されている。
このような流動充填部材１３としては、比較的重量のある物が適当である。例えば、水などの液体や、グリース等のような粘性物質や、砂、小石、ゴム或いは合成樹脂製のチップ等の固形物、更には、これらの液体や粘性物質に固形物を混ぜ合わせて流動性のある混合物とした物でよい。
【００１２】
図７、図８はデニムパンツの要所要所を漂白するに当たって、要所要所に配される複数の当部材、例えば、左右の腰に相応する腰当部材１１や太ももに相応する当部材３２や膝に相応する当部材３３や脛部に相応する当部材３４や課に相応する当部材３５など、体の各部位に相応させて位置させる当部材を、その位置関係を保たせた状態で、左右の足筒に挿入される二股形の板状の連帯部材１４で繋いで全体を単体とした例を示すものである。
【００１３】
図９、図１０はデニムパンツに挿入された状態を示す図である。
連帯部材１４は、この例ではゴムや合成樹脂性の柔軟な材質のものを板状に形成してあるが、これに限らず紐状であってもよく、要は、所望箇所の体の部位に相応させて位置させる複数の当部材が漂白の撹拌状態の際に、大方の位置関係が保たれる素材のものであればその材質や形状は問わない。
【００１４】
上記した図示の例では、デニムパンツの場合を示したが、デニムの上着いわゆるジーシャンの場合もその体型に応じた所望部位の複数の当部材を同様の連帯部材で連帯させれば良い。
このような連帯部材を用いることによって、複数の当部材を単体として取り扱うことができ、一々所定部位へ当部材を装着脱する作業や当部材の位置決めなどが簡単となり、作業熟練者でなくとも位置合わせが的確になされる、という利点がある。
尚、この実施の形態ではデニム製品に関して説明したが、本発明はこれに限らず、染色された衣類の表面を漂白する場合に広く適用できる。
【００１５】
【発明の効果】
請求項１の発明によれば、研磨摩擦作用が効率よく実行され、短時間で仕上がると共に、生地を痛めずに、実際の着古しによる場合に近い状態に漂白することができる。
【００２２】
請求項２の発明によれば、連帯部材を用いることによって、複数の当部材を単体として取り扱うことができ、一々所定部位へ当部材を装着脱する作業や当部材の位置決めなどが簡単となり作業熟練者でなくとも位置合わせを的確にすることができる。
【図面の簡単な説明】
【図１】本発明の実施の形態１の漂白装置の概念図である。
【図２】図１の装置の横断面図である。
【図３】当部材を装着した状態を示す正面図である。
【図４】図３の装着状態の側面図である。
【図５】図３に示す当部材の一部切欠正面図である。
【図６】図３に示す当部材の側面図である。
【図７】他の当部材の一部切欠正面図である。
【図８】図７の当部材の側面図である。
【図９】図７の当部材の装着状態を示す正面図である。
【図１０】図７の当部材の装着状態を示す側面図である。
【符号の説明】
１０  腰当部材(当部材)、        １１  豆型袋部(当部材)、
１２  連帯部材、                １３  流動充填部材、
１４  連帯部材、                ３２  当部材。
【図１】
0003553687.tif 000002
【図２】
0003553687.tif 000003
【図３】
0003553687.tif 000004
【図４】
0003553687.tif 000005
【図５】
0003553687.tif 000006
【図６】
0003553687.tif 000007
【図７】
0003553687.tif 000008
【図８】
0003553687.tif 000009
【図９】
0003553687.tif 000010
【図１０】
0003553687.tif 000011